(57)【要約】【課題】屋根材を固定するだけでなく、屋根上に設置する太陽電池モジュール等の任意の部材も固定することができ、部品点数を削減すると共に施工性を向上させることのできる屋根材レールを提供する。【解決手段】屋根材レール１に、固定部材８を所定位置に留付可能とし、底部から直接立上がり屋根の流れ方向に延びるレール状の留付け固定部１０と落下防止用突起部１１を有した受けレール１ａと、受けレール１ａの下側に配置され建築構造部材としての野地板７１や垂木７２などに固定するための固定部１２を具備させる。【選択図】図３
2008007940.tif 000002
【特許請求の範囲】
【請求項１】
固定部材を所定位置に留付可能とし、底部から直接立上がり屋根の流れ方向に延びるレール状の受けレールと、
該受けレールの下側に配置され建築構造部材に固定するための固定部と、
該固定部及び前記受けレールの左右外側に配置されるヒレ部と
を具備することを特徴とする屋根材レール。
【請求項２】
前記固定部は、底部よりも高い位置に配置されていることを特徴とする請求項１に記載の屋根材レール。
【請求項３】
前記受けレールは、固定部材を該受けレールに留付けるための所定のボルトを、前記固定部を介して建築構造部材に固定する固定用ビスと干渉しないようにスライド可能に支持することを特徴とする請求項１又は請求項２に記載の屋根材レール。
【請求項４】
左右両端に位置決め用の突起部を更に具備することを特徴とする請求項１から請求項３までの何れか一つに記載の屋根材レール。
【請求項５】
前記ヒレ部には、平行に配置された前記屋根材レール同士の間を覆う中間カバーの被係合部と係合する係合部が形成されていることを特徴とする請求項１から請求項４までの何れか一つに記載の屋根材レール。
【請求項６】
前記中間カバーの前記被係合部は、左右の前記中間カバーの間を少なくとも覆う間カバーの係合部と係合可能に形成されていることを特徴とする請求項１から請求項５までの何れか一つに記載の屋根材レール。
【発明の詳細な説明】
【技術分野】
【０００１】
本発明は、施工性に優れ、更に既存屋根材以上の性能を持つ屋根材レールに関するものである。
【背景技術】
【０００２】
従来の屋根材レールは、図１７に示すように、本体の上部の幅方向両側より内方に対向する一対の被嵌合部８１ａを形成し紙面に対して垂直方向に連続するガッター８１としたものが知られており、ガッター８１は、一枚の板金を折り曲げて成形されている。このガッター８１は、ガッター８１と、天井主板８３の幅方向両側より被嵌合部８１ａを係止する係止屈曲片８４ａを有する係止立上がり側部８４を形成した天井材と、屋根主板８６の幅方向両側にガッター８１の被嵌合部８１ａに嵌合する嵌合側部８７を形成し、両嵌合側部８７の下端より外方側に連結用立上がり状部８８を形成した屋根材と、隣接する屋根材同士の両連結用立上がり状部８８の上端箇所を連結する連結部材８９とによって縦葺き屋根を構成するものである（特許文献１）。
【０００３】
また、その他の屋根材レールとしては、図１８に示すように、内側下地材９１と外側下地材９３との間に空気層９５を形成してなる空間形成兼支持部材としてのバックアップ部材９２と、バックアップ部材９２上の軒棟方向に所定の間隔を存して位置決め固定された吊子９４とからなるものが知られている（特許文献２）。この特許文献２における屋根の構造は、図示するように、内側下地材９１上の各々のバックアップ部材９２間には、外側下地材９３が軒棟方向に配置され、その桁行方向の両端は、吊子９４にて支持されるようになっているとともに、内側下地材９１との間に軒側方向に連通する空気層９５が形成されている。また、外側下地材９３上には、縦葺き屋根板が施設され、この縦葺き屋根板の桁行方向の両側端接合部９６は、吊子９４にて支持されているとともに、これら縦葺き屋根間には、止水材９７を介して桟カバー９８が吊子９４に嵌着保持させることにより被冠されている。更に、内側下地材９１上のバックアップ部材９２間に水漏れ防止板９９が配置されているものである。
【０００４】
【特許文献１】特開平１０−２０５０７５号公報
【特許文献２】特開平６−２３５２４５号公報
【発明の開示】
【発明が解決しようとする課題】
【０００５】
しかしながら、特許文献１の屋根材レールでは、嵌合側部８７によって防水性能を高め、更にガッター８１の下側を固定用ビスにて固定する縦葺き屋根であるものの、板金では固定部材を支持する強度が弱いので屋根材としての機能のみであり、屋根材以上の機能の発展は不可能である。
【０００６】
また、特許文献２の屋根材レールでは、水漏れ防止板９９により防水性能を高め、更にバックアップ部材９２の下側を固定用ビスにて固定する縦葺き屋根であるものの、水漏れ防止板９９は別パーツが必要で、更に下部に配置されるバックアップ部材９２と上部に配置される吊子９４も別パーツとなっているため、部材点数が増えると共にその分、施工性の悪いものである。
【０００７】
そこで、本願発明は上記の実状に鑑み、屋根材を固定するだけでなく、屋根上に設置する太陽電池モジュール等の任意の部材も固定することができ、部品点数を削減すると共に施工性を向上させることのできる屋根材レールの提供を課題とするものである。
【課題を解決するための手段】
【０００８】
本発明に係る屋根材レールは、「固定部材を所定位置に留付可能とし、底部から直接立上がり屋根の流れ方向に延びるレール状の受けレールと、該受けレールの下側に配置され建築構造部材に固定するための固定部と、該固定部及び前記受けレールの左右外側に配置されるヒレ部とを具備する」ものであることを特徴とする。
【０００９】
ここで「固定部材」とは、屋根上に設置する任意の部材（例えば、太陽光発電モジュールや屋上緑化ユニット等）を固定することができる部材（例えば、アルミの押出し材やＬ字アングル、Ｃチャンネル等）のことである。また、「ヒレ部」とは、屋根材レールの底部から略垂直に立上ると共に長手方向に連続して形成される壁状のものであり、受けレールの高さと略同等の高さとすることが望ましい。
【００１０】
本発明によると、固定部材を所定位置に留付け可能とし、屋根の流れ方向に延びるレール状の受けレールと、受けレールの下側に配置され建築構造部材に固定するための固定部と、固定部及び受けレールの左右外側に配置されるヒレ部とを具備するものである。これにより、レール状の受けレールによって固定部材を所定位置で留付けることができるので、固定部材を介して屋根上に設置する任意の部材の固定が可能となる。
【００１１】
また、屋根材レールは、受けレールが底部より直接立上がっている構造なので、屋根材レールにかかる引張荷重（例えば、風圧荷重）に対しては、力が直接固定部にかかり、固定用ビスによって強固に留まった屋根材レールは建築構造部材から剥がれることがなくなる。更に、固定部材よりかかる圧縮荷重（例えば、風圧荷重、積雪荷重等）に対しては、建築構造部材に力を伝えることができ、屋根材レールの破壊を防ぐことができる。
【００１２】
また、受けレールの下側、例えば受けレールの下側中央に固定部を備えることにより、屋根材レールを屋根上に配置する際に、その固定部の中央と建築構造部材の位置を合わせ易くなり、その位置に固定用ビスで受けレールを取付けることで、より強固に固定部材を建築構造部材へ取付けることができる。
【００１３】
更に、一部材で固定部材の固定機能と、受けレールを野地板等の建築構造部材へ確実に固定することができ、部品点数を削減すると共に施工性を向上と間違いの無い施行をすることができる。また、受けレールの左右外側に配置されたヒレ部によって仕切りができるので、例えば、受けレール側より進入した雨水を、受けレールとヒレ部の間が樋の機能となり、屋根材レールの左右両側へ漏出するのを防止することができると共に、軒先まで雨水を流すことができる。
【００１４】
本発明に係る屋根材レールは、「前記固定部は、底部よりも高い位置に配置されている」ものであることを特徴とする。ここで、「底部よりも高い位置に配置されている固定部」としては、例えば、「固定部を底部から上側に突出する突条としたもの」、「固定部を底部よりも高い位置で受けレールの立上がり部から左右方向に突出する突状としたもの」、等を例示することができる。
【００１５】
本発明によると、固定部は、底部よりも高い位置に配置されているものである。固定部は、左右に立上がる受けレールの間にあり、固定部の左右には、受けレールまでの間を利用して樋を具備するものである。これにより、固定用ビスによって固定する固定部が底部より高くなるので、例えば、受けレール内を進入した雨水は、固定部に開けられる固定用ビス用の穴より進入し難くすることができ、更に、受けレール内の底部と固定部とよってできた樋の機能によって、軒先まで雨水を流すことができる。固定部の形状は、底部を盛り上げたような形状や、底部を埋めた状態で盛り上げた形状等がある。
【００１６】
本発明に係る屋根材レールは、「前記受けレールは、固定部材を該受けレールに留付けるための所定のボルトを、前記固定部を介して建築構造部材に固定する固定用ビスと干渉しないようにスライド可能に支持する」ものであることを特徴とする。
【００１７】
本発明によると、記受けレールは、固定部材を該受けレールに留付けるための所定のボルトを、前記固定部を介して建築構造部材に固定する固定用ビスと干渉しないようにスライド可能に支持するものである。これにより、受けレールに支持される所定のボルトをスライドして固定部材を所定位置に留付ける際に、固定用ビスの頭部が固定部より上部に出ているが、所定のボルトを固定部より上部に飛出した固定用ビスと干渉しないようにスライド可能にすることができるので、施工性の向上に繋げることができる。
【００１８】
本発明に係る屋根材レールは、「左右両端に位置決め用の突起部を更に具備する」ものであることを特徴とする。
【００１９】
本発明によると、屋根材レールは、左右両端に位置決め用の突起部を更に具備するものである。これにより、中間カバーの裏に設置するバックアップ材（例えば、断熱材や中間カバーのへこみ防止材）の端を屋根材レールの左右両端にある突起部に当てて容易に位置決めをすることができる。
【００２０】
本発明に係る屋根材レールは、「前記ヒレ部には、平行に配置された前記屋根材レール同士の間を覆う中間カバーの被係合部と係合する係合部が形成されている」ものであることを特徴とする。
【００２１】
本発明によると、屋根材レールのヒレ部には、平行に配置された屋根材レール同士の間を覆う中間カバーの被係合部と係合する係合部が形成されているものである。これにより、屋根材レールのヒレ部に形成されている係合部は、被係合部を具備する中間カバーと係合することができ、屋根材レール同士を平行に配置した間を覆う屋根材として形成することができる。
【００２２】
本発明に係る屋根材レールは、「前記中間カバーの前記被係合部は、左右の前記中間カバーの間を少なくとも覆う間カバーの係合部と係合可能に形成されている」ものであることを特徴とする。ここで、「間カバー」とは、上面が略フラットな平面とされ両端部より斜め下側の内側へ向かって突出する係合部を有したものである。
【００２３】
本発明によると、中間カバーの被係合部は、左右の前記中間カバーの間を少なくとも覆う間カバーの係合部と係合可能に形成されているものである。これにより、中間カバーの被係合部は、固定部材を固定していない場所、または固定部材を固定しないときに、係合部を具備する間カバーと係合し、間カバーは屋根材となり、屋根材レールの意匠性を高めることができる。
【発明の効果】
【００２４】
上記のように、本発明によると、屋根材を固定するだけでなく、屋根上に設置する太陽電池モジュール等の任意の部材も固定することができ、部品点数を削減すると共に施工性を向上させることのできる屋根材レールを提供することができる。
【発明を実施するための最良の形態】
【００２５】
以下、本発明を実施するための最良の形態である屋根材レールの一例について、図１乃至図１３に基づき説明する。図１は、本発明の一実施形態である屋根材レールを用いて太陽光発電モジュールを固定した状態を概略で示す斜視図である。図２は、図１の屋根材レールの長手方向に対して直角方向に切断して示す縦断面図である。図３は、図２における屋根材レールの要部を拡大して示す図である。図４から図６は、図１における屋根材レールを用いた施工手順を概略で示す説明図である。図７は、屋根材レールに間カバーを使用した状態を概略で示す斜視図である。図８は、図７の屋根材レールの長手方向に対して直角方向に切断して示す縦断面図である。図９は、図８における屋根材レールの要部を拡大して示す図である。図１０及び図１１は、図７における間カバーを用いた施工手順を概略で示す説明図である。図１２は、屋根材レールの妻側の納まりを概略で示す縦断面図である。図１３は、屋根材レールの軒側の納まりを概略で示す断面図である。
【００２６】
本実施形態の屋根材レール１を用いた固定部材による屋根上に設置する任意の部材の固定構造は、図１から図３で示すように、建築構造部材としての野地板７１に所定の間隔で固定用ビス５を介して固定される屋根材レール１と、屋根材レール１同士の間を覆う中間カバー３と、屋根材レール１の上面に屋根材レール１の長手方向に所定の間隔で固定される固定部材８と、固定部材８に固定される任意の部材としての太陽光発電モジュール５０とから構成されている。なお、中間カバー３の裏にはバックアップ材４（例えば、断熱材や中間カバーのへこみ防止材）が備えられている。
【００２７】
本実施形態の屋根材レール１は、図１から図３で示すように、固定部材８を所定位置に留付け可能とし、屋根の流れ方向に延び、所定のボルトとしての座付スタットボルト６をスライド支持可能なレール状の留付け固定部１０及び落下防止用突起部１１を有した受けレール部１ａと、受けレール部１ａの下側に配置され野地板７１（建築構造部材）に固定するための固定部１２と、受けレール１ａの左右外側に配置されるヒレ部としての係合部１３と左右両端に配置された位置決め用の突起部１４とを備えている。なお、座付スタットボルト６は、四角の板状の座金に溶接ボルトまたはボルトを立てるか、もしくは、四角の板状の座金にタップを切り、ボルトを立てたものである。
【００２８】
更に詳しく説明すると、図３で示すように、屋根材レール１の断面形状は、中心にある四角形の上部に開口部（例えば、インパクトドライバやソケットレンチのソケットが入る幅）があり、この四角形の上辺にある留付け固定部１０より少し下がった位置より内側に留付け固定部１０と同じような長さの落下防止用突起部１１を具備する。四角形の底部の中心が盛り上がっており固定用ビス５を固定するための固定部１２があり、その左右には底部から盛り上がった固定部１２までの高低差を利用した内側樋部１６を具備する。中心にある上部に開口部のある四角形より左右両側に形状は展開されるが、左右対称のため左側を説明し、右側は四角形の中心に対して線対称であるため、詳細な説明は省略する。四角形の底辺より左側に延びる底部があり立上がり部が２ヶ所ある。四角形の半分程度の幅の樋部１５を越えたところに１ヶ所目の立上がり部があり、留付け固定部１０より少し低い位置まで上に延び、右斜め下へ下がり、元の上に延びる辺に戻る係合部１３を具備する。樋部１５より幅が半分程度の外側樋部１７を越えたところに２ヶ所目の立上がり部があり、係合部１３の３分の１程度の位置まで上に延びた位置決め用の突起部１４を具備する。なお、屋根材レールの１の材質は、アルミの押出し材で、色は、施工時の指定色である。また、本例の係合部１３が、本発明のヒレ部に相当している。
【００２９】
次に屋根材レール１に座付スタットボルト６を使用した状態について詳しく説明する。図２及び図３で示すように、屋根材レール１は、座付スタットボルト６により固定部材８を所定位置に留付け可能とし、受けレール１ａの下側に配置された固定部１２を具備し、固定用ビス５によって建築構造部材（例えば、垂木７２や母屋となるＣチャンネルや野地板７１等）に固定することができる。座付スタットボルト６により固定部材８を利用して屋根上に設置する任意の部材（例えば、太陽光発電モジュール５０や屋上緑化ユニット等）を固定することができる。固定部材８を設置する際には、軒先側に雨が通り抜け易くするようにスペーサー７を設置している。更に固定部材８に貫通穴９を開けておくことにより、例えば、太陽光発電モジュール間の結線を可能とすることができる。
【００３０】
屋根材レール１における受けレール１ａの留付け固定部１０と落下防止用突起部１１は、座付スタットボルト６をスライド支持可能に形成されている。更に、落下防止用突起部１１により、座付スタットボルト６をスライドする際に固定用ビス５の頭部と干渉することなくスライドすることができる。これにより、受けレール１ａの留付け固定部１０と落下防止用突起部１１を利用して座付スタットボルト６が任意の位置にスライドするので、固定部材８を所定位置に座付スタットボルト６を利用してより強固に留付けることができる。なお、座付スタッドボルト６の座の部分を受けレール１ａの両側面に当たるような大きさとすることで、固定部材８側から荷重がかかることによって左右に独立した留付け固定部１０が広がったり、狭くなったりするのを防止することができる。また、座付スタットボルト６のサイズは、Ｍ６〜Ｍ１２とし、使用条件に対して適宜変更することができる。
【００３１】
また、屋根材レール１同士の間を覆う中間カバー３は、野地板７１等の建築構造部材に直接雨などが当たるのを防止すると共に、その裏に、バックアップ材４（例えば、断熱材や中間カバーのへこみ防止材）が設けられており、施工時に中間カバー３の上に乗ったりしても中間カバー３がつぶれるのを防止したり、中間カバー３を介して熱が入ったり逃げたりするのを防止することができるようになっている。
【００３２】
なお、中間カバー３の材質は、アルミの押出し材か、ガルバリウム鋼板等の板金である。色は、施工時の指定色である。バックアップ材４の材質は、発泡スチロール、ポリエチレンフォーム等であり、断熱材や中間カバーのへこみ防止材として使用する。
【００３３】
続いて、本例における屋根材レール１を用いて固定部材８を使用した施工方法について図４から図６を基に説明する。まず、図４で示すように、屋根材レール１を固定する建築構造部材（例えば、垂木７２や母屋となるＣチャンネルや野地板７１等）を配置し、その上から屋根材レール１を、留め付けようとする目的の所定位置に配置して、建築構造部材に固定部１２を利用して固定用ビス５にて固定する。次に、屋根材レール１にある受けレール１ａに座付スタットボルト６をスライド挿入する。なお、屋根材レール１の裏には止水用ゴム１８を設置しても良い。本体固定用ビス５より雨水が浸入する可能性は低いが、例えば、降水量の多い地域などに設置の際、より強力に雨漏りに対して防ぐものであり、更に、屋根上表面の凹凸に対しても吸収する効果もある。なお、止水用ゴム１８の材質は、ブチルゴムで、色はブラックである。
【００３４】
次に、図５で示すように、屋根材レール１の両端にある位置決め用の突起部１４を利用して、バックアップ材４を固定する。その後、平行に配置された屋根材レール１同士の間を覆う中間カバー３を中間カバー３の被係合部３１と屋根材レール１の係合部１３を係合させて固定する。その後、軒先側に雨が通り抜け易くするようにスペーサー７を座付スタットボルト６に通して、固定部材８を設置固定する。
【００３５】
最後に、図６で示すように、固定部材８を利用して屋根上に設置する任意の部材（例えば、太陽光発電モジュール５０や屋上緑化ユニット等）を固定することで、太陽光発電モジュール５０などを屋根上に設置することができる。
【００３６】
一方、図７から図９で示すように、固定部材８を使用せずに、屋根材レール１を縦葺き屋根構造の一部として用いた場合は、屋根材レール１同士の間を覆う中間カバー３の間を、間カバー２で覆うようにしても良い。具体的には、受けレール１ａに座付スタットボルト６をスライド支持させる替わりに、中間カバー３の被係合部３１に、間カバー２の係合部２１を係合させて、間カバー２により左右の中間カバー３の間を覆うようにするものである。
【００３７】
更に詳しく説明すると、図９で示すように、中間カバー３は、屋根材レール１同士の間の部分はフラットであり、両端は係合部１３の頂部に略合わせて一段下がった平面があり、更に、斜め外側に下がって係合部１３に係合するための被係合部３１がある。間カバー２は、留付け固定部１０の上部に平行な辺が左右に延び、両端に１８０度折り曲がった平面があり、そこには、中間カバー３と間カバー２の間に入る雨水を防ぐための防水クッション材２２（例えばエプトシーラー等）を具備している。更に、中間カバー３と略平行に斜めに下がり係合部２１がある。中間カバー３が係合部１３の頂部に略合わせて一段下がった平面があるので、間カバー２の上部が中間カバー３と略フラットとなり、屋根材レール１の意匠性の高い縦葺き屋根材となる。なお、間カバー２の材質は、アルミの押出し材であり、色は、施工時の指定色である。
【００３８】
これにより、受けレール１ａに座付スタットボルト６を使用して設置するのに対して間カバー２を設置し、屋根材としての機能を持たせることができる。更に、屋根材としての、雨漏りを防ぐために、樋部１５が軒先の樋まで延びており雨水を軒樋４５まで流すことができる。仮に、樋部１５を雨水が乗り越えたとしても外側樋部１７によって防ぐことができる。
【００３９】
続いて、本例における屋根材レール１を用いた縦葺き屋根材の施工方法について図１０及び図１１を基に説明する。まず、図１０で示すように、屋根材レール１を固定する建築構造部材（例えば、垂木７２や母屋となるＣチャンネルや野地板７１等）を配置し、その上から屋根材レール１を、留め付けようとする目的の所定位置に配置して、建築構造部材に固定部１２を利用して固定用ビス５にて固定する。なお、屋根材レール１の裏には止水用ゴム１８を設置しても良い。本体固定用ビス５より雨水が浸入する可能性は低いが、例えば、降水量の多い地域などに設置の際、より強力に雨漏りに対して防ぐものであり、更に、屋根上表面の凹凸に対しても吸収する効果もある。
【００４０】
次に、屋根材レール１の両端にある位置決め用の突起部１４を利用して、バックアップ材４を固定する。その後、平行に配置された屋根材レール１同士の間を覆う中間カバー３を中間カバー３の被係合部３１と屋根材レール１の係合部１３を係合させて固定する。
【００４１】
最後に、図１１で示すように、中間カバー３の被係合部３１と間カバー２の係合部２１を係合すると、間カバー２と中間カバー３は、略フラットとなり、縦葺き屋根材として施工することができる。
【００４２】
図１２は、屋根材レール１の妻側の納まりの設置事例である。妻側中間カバー３２の固定は、屋根材レール１の係合部１３と妻側中間カバー３２の被係合部３１の係合と、妻側の固定用ビス７５によって固定することができる。なお、妻側中間カバー３２の被係合部３１の反対側には、妻側の水切り用の折り返し部３３が具備されている。
【００４３】
図１３は、屋根材レール１の軒側の納まりの設置事例である。スターターカバー材４１を設置することにより軒先の意匠性を高めることができる。スターターカバー材４１は、固定用ビス４４によって固定することができ、更に位置決め用突起部４２を具備しているので、屋根材レール１の軒側の端部位置を位置出しすることができる。よって、施工時間の短縮に繋げることができる。また、内側樋部１６、樋部１５、外側樋部１７を流れてきた雨水は、軒先まで流れ、スターターカバー材４１の樋部４６に開いている貫通穴（図示せず）を抜けて、軒樋４５へと流れる。なお、スターターカバー材４１の材質は、アルミの押出し材で、色は、施工時の指定色である。
【００４４】
このように、本実施形態の屋根材レール１は、受けレール１ａの留付け固定部１０と落下防止用突起部１１を利用して座付スタットボルト６が任意の位置にスライドするので、固定部材８（例えば、太陽電池モジュール５０や屋上緑化ユニットを支える部材）を支えようとしているもののサイズに合わせた所定位置に、座付スタットボルト６を利用してより強固に留付けることができる。
【００４５】
更に、平行に配置された屋根材レール１同士の間を覆う中間カバー３を中間カバー３の被係合部３１と屋根材レール１の係合部１３を係合することができ、間カバー２の係合部２１と中間カバー３の被係合部３１を係合させて固定させることで簡単に縦葺き屋根材として施工することができる。
【００４６】
また、屋根材レール１は、一部材で固定部１２と位置決め用突起部１４を具備することにより、屋根材レールの付属部品数を減らすと共に施工性の向上に繋げることができる。更に、内側樋部１６、樋部１５、外側樋部１７を具備することにより、雨漏りし難くすることができる。
【００４７】
以上、本発明について好適な実施形態を挙げて説明したが、本発明はこれらの実施形態に限定されるものではなく、以下に示すように、本発明の要旨を逸脱しない範囲において、種々の改良および設計の変更が可能である。
【００４８】
すなわち、本実施形態では、間カバー２と中間カバー３を略フラットな縦葺き屋根材としたが、これに限定するものではなく、図１４で示すような中間カバー３４としても良い。具体的には、図示するように、平行に配置された屋根材レール１同士の間を覆う中間カバー３４を、屋根材レール１の係合部１３と係合する左右の被係合部３４ａが中間カバー３４の中央よりも上側に上がったような形態、つまり、中間カバー３４の両端を残して中央が建築構造部材と略接するように下がった形態のものとしても良い。これにより、上記と同様の作用効果を奏することができると共に、中間カバー３４によってフラットの縦葺き屋根材ではなく、凹凸によって変化のある縦葺き屋根材とすることができる。
【００４９】
更に、本実施形態では屋根材レール１の両端にある位置決め用の突起部１４を利用して、バックアップ材４を固定し、平行に配置された屋根材レール１同士の間を覆う中間カバー３を中間カバー３の被係合部３１と屋根材レール１の係合部１３を係合させて固定したが、これに限定するものではなく、図１５に示すような既存太陽電池モジュール５１としても良い。具体的には、図示するように、平行に配置された屋根材レール１同士の間に既存太陽電池モジュール５１を屋根材レール１の両端にある位置決め用の突起部１４を利用して配置することができる。既存太陽電池モジュール５１を設置する際には、防水性能と防火性能を兼ね備えた屋根材７４の上に固定させる。既存太陽電池モジュール５１同士の間に屋根材レール１が配置される際には、モジュール固定金具２５を利用して既存太陽電池モジュール５１を固定し、間カバー２３によってカバーをすると共に雨の進入し難くする機能を兼ねることができる。一方、中間カバー３と既存太陽電池モジュール５１の間に屋根材レール１が配置される際には、間カバー固定金具２６を利用して既存太陽電池モジュール５１を固定し、その上を間カバー２４によってカバーすると共に雨の進入し難くする機能を兼ねることができる。
【００５０】
施工方法としては、既存太陽電池モジュール５１同士の間に屋根材レール１が配置される際には、受けレール１ａにモジュール固定金具２５をスライド挿入し、モジュール固定金具２５の係合部２５ｂと既存太陽電池モジュール５１の被係合部５１ａを係合させて固定する。更に、モジュール固定金具２５の嵌合部２５ａと間カバー２３の被嵌合部２３ａを嵌合して固定し意匠性を高めることができる。一方、中間カバー３と既存太陽電池モジュール５１の間に屋根材レール１が配置される際には、受けレール１ａに間カバー固定金具２６をスライド挿入し、間カバー固定金具２６の係合部２６ｂと既存太陽電池モジュール５１の被係合部５１ａを係合させて固定する。更に、間カバー固定金具２６の嵌合部２６ａと間カバー２４の被嵌合部２４ａを嵌合して固定し意匠性を高めることができる。なお、間カバー２３と間カバー２４の材質は、アルミの押出し材で、色は、施工時の指定色である。
【００５１】
また、本実施形態では中間カバー３の被係合部３１と間カバー２の係合部２１を係合して、間カバー２と中間カバー３は、略フラットとなり、縦葺き屋根材としたが、これに限定するものではなく、図１６で示すような固定座金２８とボルト２８ａを利用して、間カバー２７としても良い。具体的には、図示するように、受けレール１ａの固定座金２８をスライド挿入し、少なくとも左右の中間カバー３の間を覆うように間カバー２７を設置し、ボルト２８ａにより固定する。ボルト２８ａを利用することにより、中間カバー３の被係合部３１と間カバー２の係合部２１を係合するより、より強固に固定することができる。更に、間カバー２７の上部に雪止め用のＬ字アングル（図示せず）を配置し、ボルト２８ａにより固定することができ、積雪地用の縦葺き屋根材としても利用することができる。間カバー２７の材質は、アルミの押出し材で、色は、施工時の指定色である。
【図面の簡単な説明】
【００５２】
【図１】本発明の一実施形態である屋根材レールを用いて太陽光発電モジュールを固定した状態を概略で示す斜視図である。
【図２】図１の屋根材レールの長手方向に対して直角方向に切断して示す縦断面図である。
【図３】図２における屋根材レールの要部を拡大して示す図である。
【図４】図１における屋根材レールを用いた施工手順を概略で示す説明図である。
【図５】図４に続く施工手順を概略で示す説明図である。
【図６】図５に続く施工手順を概略で示す説明図である。
【図７】屋根材レールに間カバーを使用した状態を概略で示す斜視図である。
【図８】図７の屋根材レールの長手方向に対して直角方向に切断して示す縦断面図である。
【図９】図８における屋根材レールの要部を拡大して示す図である。
【図１０】図７における間カバーを用いた施工手順を概略で示す説明図である。
【図１１】図１０に続く施工手順を概略で示す説明図である。
【図１２】屋根材レールの妻側の納まりを概略で示す縦断面図である。
【図１３】屋根材レールの軒側の納まりを概略で示す断面図である。
【図１４】図２とは異なる形態の中間カバーを用いた一例を概略で示す縦断面図である。
【図１５】図２とは異なる形態の既存太陽発電モジュールを用いた一例を概略で示す縦断面図である。
【図１６】図２とは異なる形態の間カバーを用いた一例を概略で示す縦断面図である。
【図１７】従来の屋根材の一例を説明する断面図である。
【図１８】従来の屋根材の一例を説明する断面図である。
【符号の説明】
【００５３】
１    屋根材レール
１ａ  受けレール
２    間カバー
３    中間カバー
４    バックアップ材
４ａ  バックアップ材
５    固定用ビス
６    座付スタットボルト
７    スペーサー
８    固定部材
１０    留付け固定部
１１    落下防止用突起部
１２    固定部
１３    係合部（ヒレ部）
１４    位置決め用突起部
１５    樋部
１６    内側樋部
１７    外側樋部
１８    止水用ゴム
２１    係合部
２１ａ  係合部
２２    防水クッション材
２３    間カバー
２３ａ  被嵌合部
２４    間カバー
２４ａ  被嵌合部
２５    モジュール固定金具
２５ａ  嵌合部
２５ｂ  係合部
２６    間カバー固定金具
２６ａ  嵌合部
２６ｂ  係合部
２７    間カバー
２８    固定座金
２８ａ  ボルト
３１    被係合部
３２    妻側中間カバー
３４    中間カバー
３４ａ  被係合部
４１    スターターカバー
４２    位置決め用突起部
４４    固定用ビス
４５    軒樋
４６    樋部
５０    太陽電池モジュール
５１    既存太陽電池モジュール
５１ａ  被係合部
７１    野地板
７２    建築構造部材
７４    屋根材
【図１】
2008007940.tif 000003
【図２】
2008007940.tif 000004
【図３】
2008007940.tif 000005
【図４】
2008007940.tif 000006
【図５】
2008007940.tif 000007
【図６】
2008007940.tif 000008
【図７】
2008007940.tif 000009
【図８】
2008007940.tif 000010
【図９】
2008007940.tif 000011
【図１０】
2008007940.tif 000012
【図１１】
2008007940.tif 000013
【図１２】
2008007940.tif 000014
【図１３】
2008007940.tif 000015
【図１４】
2008007940.tif 000016
【図１５】
2008007940.tif 000017
【図１６】
2008007940.tif 000018
【図１７】
2008007940.tif 000019
【図１８】
2008007940.tif 000020